(57)【要約】  本発明は、周期的に冷媒が収着又は脱着される吸着剤（２）が配置され、少なくとも部分的に復水器（３）を取り囲んで形成されている容積エリア（１）を含む真空収着装置に関し、その際前記復水器（３）が容積エリア（１）の外壁（４）及び別の囲み壁（５）によって区切られている。本発明では、選択的に外壁（４）及び／又は囲み壁（５）が復水器の流れ隙間幅を定義するために、それぞれ他の壁（４、５）に向かってエンボシング（６）が備えられることが企図される。【選択図】図１
2013528279.tif 000002
【特許請求の範囲】
【請求項１】
周期的に冷媒が収着又は脱着される吸着剤（２）が配置され、少なくとも部分的に復水器（３）を取り囲んで形成されている容積エリア（１）を含む真空収着装置であって、その際前記復水器（３）が前記容積エリア（１）の外壁（４）及び別の囲み壁（５）によって区切られている真空収着装置において、選択的に前記外壁（４）及び／又は前記囲み壁（５）が復水器の流れ隙間幅を定義するために、それぞれ他の壁（４、５）に向かってエンボシング（６）が備えられていることを特徴とする、真空収着装置。
【請求項２】
前記エンボシング（６）によって定義された隙間が、前記外壁（４）と前記囲み壁（５）の間に２ｍｍ未満の幅で形成されることを特徴とする、請求項１に記載の真空収着装置。
【請求項３】
前記エンボシング（６）が前記囲み壁（５）上に均一に配置され、及び１０ｍｍ〜４０ｍｍ、好ましくは２０ｍｍ〜３０ｍｍ、互いに離れて配置されていることを特徴とする、請求項１又は２に記載の真空収着装置。
【請求項４】
前記エンボシング（６）がかまぼこ型に形成され、及び好ましくは直径が１ｍｍ〜２ｍｍであることを特徴とする、請求項１〜３のうちのいずれか一項に記載の真空収着装置。
【請求項５】
前記容積エリア（１）の前記外壁（４）及び前記囲み壁（５）が円筒形に形成されることを特徴とする、請求項１〜４のうちのいずれか一項に記載の真空収着装置。
【請求項６】
前記円筒形に形成された前記囲み壁（５）の少なくとも１つの端部に集液ケース（７）が配置されていることを特徴とする、請求項５に記載の真空収着装置。
【請求項７】
前記集液ケース（７）が、前記囲み壁（５）の材料から一体に及び好ましくはビーディング状に形成されることを特徴とする、請求項６に記載の真空収着装置。
【請求項８】
前記集液ケース（７）のところに接続部（８）が選択的に流体の供給又は排出のために備えられていることを特徴とする、請求項６又は７に記載の真空収着装置。
【請求項９】
前記集液ケース（７）のところの前記接続部（８）が周囲の長さに関して互いにずらされて配置されていることを特徴とする、請求項８に記載の真空収着装置。
【請求項１０】
前記囲み壁（５）が、前記エンボシング（６）を備えた前もって作られた構成部品として、及び好ましくは少なくとも１つの前記集液ケース（７）が前記エンボシング（６）なしに形成された前記外壁（４）上にスライド可能に、形成されることを特徴とする、請求項１〜９のうちのいずれか一項に記載の真空収着装置。
【発明の詳細な説明】
【技術分野】
【０００１】
本発明は、請求項１の前段に従った真空収着装置に関する。
【０００２】
冒頭に挙げられた種類の真空収着装置は、特許文献１により公知である。周期的に冷媒（例えば水）が収着又は脱着される吸着剤（例えばゼオライト）が配置され、少なくとも部分的に復水器を取り囲んで形成される容積エリアから構成され、その際復水器が容積エリアの外壁及び別の囲み壁によって区切られている。
【背景技術】
【０００３】
この真空収着装置の機能形態とすべての他の構成部品は特許文献１に詳細に記述されている。ここではこれを、簡素のために包括的に参照する。
【０００４】
さらに、完全性のために特許文献２も参照する。これには復水器に関して類似の実施形態が示されている。
【先行技術文献】
【特許文献】
【０００５】
【特許文献１】ＤＥ１０２００４０４９４１１Ａ１
【特許文献２】ＤＥ３６２５２４７Ａ１
【発明の概要】
【発明が解決しようとする課題】
【０００６】
本発明の課題は、冒頭に挙げられた種類の真空収着装置をさらに改善することである。
【課題を解決するための手段】
【０００７】
この課題は、冒頭に挙げられた種類の真空収着装置により、請求項１の特徴に記載された特徴によって解決される。
【０００８】
本発明では、選択的に外壁及び／又は囲み壁が復水器内の流れ隙間幅を決定するために、それぞれ他の壁の方を向いたエンボシングを備えていることが企図される。
【０００９】
すなわち、本発明により外壁と囲み壁の間の流れ隙間の幅が多数のエンボシングの働きで正確に定義されることが企図される。このことは一方で隙間幅が復水器の高さ全体にわたって所望の寸法を備えることを保証する。他方では、そのことにより、復水器を通って流れる流体の適切な流れの作用が、吸着剤を囲んでいる容積エリアと復水器の間の熱伝達を促進する。
【００１０】
本発明の真空収着装置の別の有利な発展形態は、従属請求項に開示される。
【００１１】
完全性のために、さらに特許文献３（ＤＥ５８９８２３Ａ）を示す。これにより周期的な収着冷却器が公知である。この文献からは、いわゆる波板（符号１０）が公知であるが、これは復水器（符号９）の外に配置されている。
【００１２】
本発明による真空収着装置は、従属特許請求の範囲に従った有利な発展形態も含んで、以下に実施例の図を使用して詳しく説明される。
【図面の簡単な説明】
【００１３】
【図１】本発明による真空収着装置の断面図（原寸通りではない）である。
【発明を実施するための形態】
【００１４】
図１に示された真空収着装置は、周期的に冷媒（ここでは水）が収着又は脱着される吸着剤２（ここでは、正確には図示されていないが、ゼオライト）が配置され、少なくとも部分的に復水器３を取り囲んで形成される容積エリア１から構成され、その際復水器３が容積エリア１の外壁４及び別の囲み壁５によって区切られている。
【００１５】
本発明の、示された真空収着装置にとって重要なことは従って、囲み壁５が復水器内の流れ隙間幅を決定するために、外壁４の方を向いたエンボシング６を備えていることである。
【００１６】
あるいはしかし（図示せず）、外壁４が復水器内の流れ隙間幅を決定するために、囲み壁５の方を向いたエンボシング６を備えていてもよい。さらに最後に（同じく図示せず）、外壁４及び囲み壁５が復水器内の流れ隙間幅を決定するために、それぞれ他の壁４、５の方を向いたエンボシング６を備えていてよい。
【００１７】
このような条件により、製造が簡単で、一方で高い（圧力）安定性を、他方で優れた熱伝達で際立った復水器構造がもたらされる。
【００１８】
その際、図１に示しされたように、容積エリア１の外壁４及び囲み壁５は円筒形に形成され、その結果外壁４と囲み壁５の間に円筒形のリング形隙間が生じる。さらに、円筒形の外壁４は、好ましい実施形態では高さ４００ｍｍ〜５００ｍｍ、直径２５０ｍｍ〜３５０ｍｍで形成される。
【００１９】
特に好ましくはさらに、エンボシング６によって定義された外壁４と囲み壁５の間の隙間が２ｍｍ未満、好ましくは１ｍｍ未満の幅に形成されることが企図される。特に復水器内での良好な流れ配分は、エンボシング６が囲み壁５上に均一に配置され、１０ｍｍ〜４０ｍｍ、好ましくは２０ｍｍ〜３０ｍｍ、互いに離れて配置されていることによって達成され得る。さらに、好ましくは、エンボシング６がかまぼこ型に形成され、直径が１ｍｍ〜２ｍｍであることが企図される。
【００２０】
さらに図１から、円筒形に形成された囲み壁５の両端部に集液ケース７が配置されていることが明らかである。これは好ましくは囲み壁５の材料から一体に、及びビーディング状に成形されて形成され、その際さらにいずれの集液ケース７にも接続部８が選択的に流体の供給又は排出のために備えられており、その際集液ケース７のところの接続部８が周囲の長さに関して互いにずらされて配置されている。
【００２１】
製造又は組み立てが簡単であるという観点から、囲み壁５がエンボシング６を備えた、前もって作られた構成部品として、及び好ましくは少なくとも１つの集液ケース７がエンボシング６なしに形成された外壁４上にスライド可能に、及びそこで流体密に（特に溶接によって）固定可能に、形成されると有利であることが明らかになった。
【符号の説明】
【００２２】
１  容積エリア
２  吸着剤
３  復水器
４  外壁
５  囲み壁
６  エンボシング
７  集液ケース
８  接続部
【図１】
2013528279.tif 000003
【国際調査報告】
2013528279.tif 000004
2013528279.tif 000005
2013528279.tif 000006
2013528279.tif 000007
2013528279.tif 000008
2013528279.tif 000009